(57)【要約】  多重周波数源システムにおける位相プリングを緩和する方法が、既存の周波数点で動作し、既存の周波数点の前後の既定のプリング帯域幅を有する、既存の信号と呼ぶ第１の信号を生成するステップを含む。既存の信号の既定のプリング帯域幅内にある予想周波数点で予想信号を生成するよう求める要求が受け取られる。この予想周波数が既定のプリング帯域幅内から除去され、予想信号と既存の信号が、これらに対応する周波数点で生成される。【選択図】  図２
2009508369.tif 000002
【特許請求の範囲】
【請求項１】
多重周波数源システムにおける位相プリングを緩和する方法であって、
既存の周波数点の既存の信号であり、前記既存の周波数点の前後の既定のプリング帯域幅を有する前記既存の信号を含む第１の信号を生成するステップと、
前記既存の信号の前記既定のプリング帯域幅内の予想周波数点で予想信号を生成するよう求める要求を受け取るステップと、
前記既定のプリング帯域幅内から前記予想周波数点を除去するステップと、
前記予想信号と前記既存の信号とを、それぞれに対応する周波数点で生成するステップと
を含む方法。
【請求項２】
前記既存の信号が固定周波数源を使って生成され、前記既定のプリング帯域幅内から前記予想周波数点を除去する前記ステップが、前記予想信号の前記周波数源を、前記既存の信号から離れた、前記既存の信号の前記既定のプリング帯域幅外に位置する新しい予想周波数点に同調させるステップを含む、請求項１に記載の方法。
【請求項３】
前記既存の信号が同調可能な周波数源を使って生成され、前記既定のプリング帯域幅内から前記予想周波数点を除去する前記ステップが、前記既存の信号の前記周波数源を、前記予想周波数点から離れた新しい既存の周波数点に同調させて、前記既存の周波数点が前記新しい既存の周波数点に再配置された後で、前記予想周波数点が、前記既存の信号の前記既定のプリング帯域幅外に配置されるようにするステップを含む、請求項１に記載の方法。
【請求項４】
前記既存の信号が同調可能な周波数源を使って生成され、前記既定のプリング帯域幅内から前記予想周波数点を除去する前記ステップが、前記予想信号の前記周波数源を、前記既存の信号から離れた新しい予想周波数点に同調させるステップを含む、請求項１に記載の方法。
【請求項５】
前記既存の信号が同調可能な周波数源を使って生成され、前記既定のプリング帯域幅内から前記予想周波数点を除去する前記ステップが、
前記予想信号の前記周波数源を、前記既存の周波数点から離れた新しい予想周波数点に同調させるステップと、
前記既存の信号の前記周波数源を、前記予想周波数点から離れた新しい既存の周波数点に同調させるステップと
を含む、請求項１に記載の方法。
【請求項６】
前記予想信号の前記周波数源を同調させる前記ステップが、第１の位相ロックループを、前記新しい予想周波数点で前記予想信号を生成するように制御するステップを含み、
前記既存の信号の前記周波数源を同調させる前記ステップが、第２の位相ロックループを、前記新しい既存の周波数点で前記既存の信号を生成するように制御するステップを含む、請求項５に記載の方法。
【請求項７】
多重周波数源システムにおける位相プリングを緩和する方法であって、
既存の周波数点の既存の信号であり、前記既存の周波数点の前後の既定のプリング帯域幅を有する前記既存の信号を含む第１の信号を生成するステップと、
前記既存の信号の前記既定のプリング帯域幅内の予想周波数点で予想信号を生成するよう求める要求を受け取るステップと、
前記既定のプリング帯域幅内から前記予想周波数点を除去するステップと
を含み、
前記既定のプリング帯域幅内から前記予想周波数点を除去する前記ステップが、
前記予想信号を、前記既存の信号から離れる方向にある新しい予想周波数点に同調させるステップと、
前記既存の信号を、前記予想信号から離れる方向にある新しい既存の信号の周波数点に同調させるステップと、
前記予想信号と前記既存の信号とを、それぞれに対応する新しい周波数点で生成するステップと
を含む、方法。
【請求項８】
前記予想信号を新しい予想周波数点に同調させる前記ステップが、第１の位相ロックループを、前記新しい予想周波数点で前記予想信号を生成するように制御するステップを含み、
前記既存の信号を新しい既存の周波数点に同調させる前記ステップが、第２の位相ロックループを、前記新しい既存の周波数点で前記既存の信号を生成するように制御するステップを含む、請求項７に記載の方法。
【請求項９】
多重周波数源システムにおける位相プリングを緩和するシステムであって、
既存の周波数点の既存の信号であり、前記既存の周波数点の前後の既定のプリング帯域幅を有する前記既存の信号を含む第１の信号を生成する手段と、
前記既存の信号の前記既定のプリング帯域幅内の予想周波数点で予想信号を生成するよう求める要求を受け取る手段と、
前記既定のプリング帯域幅内から前記予想周波数点を除去する手段と、
前記予想信号と前記既存の信号とを、それぞれに対応する周波数点で生成する手段と
を備えるシステム。
【請求項１０】
第１の周波数を生成する前記手段が固定周波数源を備え、
前記既定のプリング帯域幅内から前記予想周波数点を除去する前記手段が、前記予想信号の前記周波数源を、前記既存の信号から離れた、前記既存の信号の前記既定のプリング帯域幅外に位置する新しい予想周波数点に同調させる手段を備える、請求項９に記載のシステム。
【請求項１１】
第１の周波数を生成する前記手段が同調可能な周波数源を備え、
前記既定のプリング帯域幅内から前記予想周波数点を除去する前記手段が、予想周波数点から離れた新しい既存の周波数点に同調させて、前記既存の周波数点が前記新しい既存の周波数点に再配置された後で、前記予想周波数点が、前記既存の信号の前記既定のプリング帯域幅外に配置されるようにする手段を備える、請求項９に記載のシステム。
【請求項１２】
第１の周波数を生成する前記手段が同調可能な周波数源を備え、
前記既定のプリング帯域幅内から前記予想周波数点を除去する前記手段が、前記予想信号の前記周波数源を、前記既存の信号から離れた新しい予想周波数点に同調させる手段を備える、請求項９に記載のシステム。
【請求項１３】
第１の周波数を生成する前記手段が同調可能な周波数源を備え、
前記既定のプリング帯域幅内から前記予想周波数点を除去する前記手段が、
前記予想信号の前記周波数源を、前記既存の周波数点から離れた新しい予想周波数点に同調させる手段と、
前記既存の信号の前記周波数源を、前記予想周波数点から離れた新しい既存の周波数点に同調させる手段と
を備える、請求項９に記載のシステム。
【請求項１４】
前記予想信号の前記周波数源を同調させる前記手段が、前記新しい予想周波数点で前記予想信号を生成するように動作する第１の位相ロックループを備え、
前記既存の信号の前記周波数源を同調させる前記手段が、前記新しい既存の周波数点で前記既存の信号を生成するように動作する第２の位相ロックループを備える、請求項１３に記載のシステム。
【請求項１５】
コンピュータ可読媒体上にあり、プログラム可能なシステムを、多重周波数源システムにおける位相プリングを緩和するよう制御するように動作するコンピュータプログラム製品であって、
既存の周波数点の既存の信号であり、前記既存の周波数点の前後の既定のプリング帯域幅を有する前記既存の信号を含む第１の信号を生成する命令コードと、
前記既存の信号の前記既定のプリング帯域幅内の予想周波数点で予想信号を生成するよう求める要求を受け取る命令コードと、
前記既定のプリング帯域幅内から前記予想周波数点を除去する命令コードと、
前記予想信号と前記既存の信号とを、それぞれに対応する周波数点で生成する命令コードと
を備えるコンピュータプログラム製品。
【請求項１６】
前記既存の信号が固定周波数源を使って生成され、前記既定のプリング帯域幅内から前記予想周波数点を除去する前記命令コードが、前記予想信号の前記周波数源を、前記既存の信号から離れた、前記既存の信号の前記既定のプリング帯域幅外に位置する新しい予想周波数点に同調させる命令コードを備える、請求項１５に記載のコンピュータプログラム製品。
【請求項１７】
前記既存の信号が同調可能な周波数源を使って生成され、前記既定のプリング帯域幅内から前記予想周波数点を除去する前記命令コードが、前記既存の信号の前記周波数源を、前記予想周波数点から離れた新しい既存の周波数点に同調させて、前記既存の周波数点が前記新しい既存の周波数点に再配置された後で、前記予想周波数点が、前記既存の信号の前記既定のプリング帯域幅外に配置されるようにする命令コードを備える、請求項１５に記載のコンピュータプログラム製品。
【請求項１８】
前記既存の信号が同調可能な周波数源を使って生成され、前記既定のプリング帯域幅内から前記予想周波数点を除去する前記命令コードが、前記予想信号の前記周波数源を、前記既存の信号から離れた新しい予想周波数点に同調させる命令コードを備える、請求項１５に記載のコンピュータプログラム製品。
【請求項１９】
前記既存の信号が同調可能な周波数源を使って生成され、前記既定のプリング帯域幅内から前記予想周波数点を除去する前記命令コードが、
前記予想信号の前記周波数源を、前記既存の周波数点から離れた新しい予想周波数点に同調させる命令コードと、
前記既存の信号の前記周波数源を、前記予想周波数点から離れた新しい既存の周波数点に同調させる命令コードと
を備える、請求項１５に記載のコンピュータプログラム製品。
【請求項２０】
前記予想信号の前記周波数源を同調させる前記命令コードが、第１の位相ロックループを、前記新しい予想周波数点で前記予想信号を生成するように制御する命令コードを備え、
前記既存の信号の前記周波数源を同調させる前記命令コードが、第２の位相ロックループを、前記新しい既存の周波数点で前記既存の信号を生成するように制御する命令コードを備える、請求項１９に記載のコンピュータプログラム製品。
【発明の詳細な説明】
【関連出願の相互参照】
【０００１】
本特許出願は、その内容が参照により本明細書に援用される、以下の各特許出願に関連し、これらと同時に出願されるものである。
【０００２】
「多重周波数源システム及び動作方法（Ｍｕｌｔｉｐｌｅ  Ｆｒｅｑｕｅｎｃｙ  Ｓｏｕｒｃｅ  Ｓｙｓｔｅｍ  ａｎｄ  Ｍｅｔｈｏｄ  ｏｆ  Ｏｐｅｒａｔｉｏｎ）」、国際出願ＰＣＴ／ＩＢ２００６／０５２６３２、整理番号ＲＦＭ−１５−ＰＣＴ、及び、
「多重周波数源システムのためのオフセット信号位相調整（Ｏｆｆｓｅｔ  Ｓｉｇｎａｌ  Ｐｈａｓｉｎｇ  ｆｏｒ  ａ  Ｍｕｌｔｉｐｌｅ  Ｆｒｅｑｕｅｎｃｙ  Ｓｏｕｒｃｅ  Ｓｙｓｔｅｍ）」、国際出願ＰＣＴ／ＩＢ２００６／０５２６３３、整理番号ＲＦＭ−１６−ＰＣＴ。
【０００３】
本特許出願は、以下の各米国特許出願の優先権を主張し、これらの全文を援用するものである。
【０００４】
２００５年８月２日出願の「多重周波数源システム及び動作方法（Ｍｕｌｔｉｐｌｅ  Ｆｒｅｑｕｅｎｃｙ  Ｓｏｕｒｃｅ  Ｓｙｓｔｅｍ  ａｎｄ  Ｍｅｔｈｏｄ  ｏｆ  Ｏｐｅｒａｔｉｏｎ）」、米国特許出願第６０／５９５，７５４号、
２００５年８月２日出願の「多重周波数源システムのためのオフセット信号位相調整（Ｏｆｆｓｅｔ  Ｓｉｇｎａｌ  Ｐｈａｓｉｎｇ  ｆｏｒ  ａ  Ｍｕｌｔｉｐｌｅ  Ｆｒｅｑｕｅｎｃｙ  Ｓｏｕｒｃｅ  Ｓｙｓｔｅｍ）」、米国特許出願第６０／５９５，７４９号、及び
２００５年８月２日出願の「多重周波数源システムにおける位相プリングを緩和するシステム及び方法（Ｓｙｓｔｅｍ  ａｎｄ  Ｍｅｔｈｏｄ  ｆｏｒ  Ｍｉｔｉｇａｔｉｎｇ  Ｐｈａｓｅ  Ｐｕｌｌｉｎｇ  ｉｎ  ａ  Ｍｕｌｔｉｐｌｅ  Ｆｒｅｑｕｅｎｃｙ  Ｓｏｕｒｃｅ  Ｓｙｓｔｅｍ）」、米国特許出願第６０／５９５，７５０号。
【背景】
【０００５】
[0001]本発明は、同時に動作する周波数源を用いる同調可能なシステムに関し、より詳細には、上記システムにおける位相プリングを緩和するシステム及び方法に関する。
【０００６】
[0002]「Ｍｕｌｔｉｐｌｅ  Ｆｒｅｑｕｅｎｃｙ  Ｓｏｕｒｃｅ  Ｓｙｓｔｅｍ  ａｎｄ  Ｍｅｔｈｏｄ  ｏｆ  Ｏｐｅｒａｔｉｏｎ」という名称の出願に記載されている、システムにおける複数の周波数源の実施は、おそらく、狭い間隔を置いた、同時に生成される周波数の間の位相プリングをどのようにして回避するかに関する課題を提示する。特に、周波数が第２の信号に近接する第１の信号を最初に生成し、動作させると、第２の信号を、その目的の周波数からそらし、おそらく、システムが、必要な同調精度で狭い間隔の周波数の複数の信号を生成することのできる能力を低下させることになり得る。
【０００７】
[0003]したがって、求められているのは、同時に動作する周波数源を用いるシステムにおける位相プリングを緩和するシステム及び方法である。
【概要】
【０００８】
[0004]本明細書では、同時に動作する周波数源を用いる同調可能なシステムにおける位相プリングを回避するシステム及び方法が提示される。一実施形態では、本発明による方法は、既存の周波数点で動作し、既存の周波数点の前後の既定のプリング帯域幅を有する既存の信号と呼ばれる第１の信号を生成するステップを含む。既存の信号の既定のプリング帯域幅内にある予想周波数点で予想信号を生成するよう求める要求が受け取られる。この予想周波数が既定のプリング帯域幅内から除去され、予想信号と既存の信号が、これらに対応する周波数点で生成される。
【０００９】
[0005]本発明の上記その他の特徴は、以下の図面と詳細な説明を考慮して考察すれば、より適切に理解されるであろう。
【００１０】
[0007]明確にするために、添付の図面に、前述の特徴の参照表示を示す。
【例示的実施形態の説明】
【００１１】
[0008]図１Ａに、本発明による、現在動作する周波数源を用いる同調可能なシステムの例示的実施形態を示す。図示のように、同調可能なシステム１００は、３つの周波数源ＦＳ１１２０、ＦＳ２１３０、及びＦＳ３１４０を含み、その少なくとも１つ（ＦＳ１１２０など）は同調可能である。残りの周波数源は、システムの設計の必要又は要望に従って、固定周波数又は同調可能な周波数を生成するように動作してもよい。
【００１２】
[0009]図１Ｂに、本発明による、シグマデルタ型位相ロックループ（ＰＬＬ）として実施される実施形態である、同調可能な周波数源の例を示す。このＰＬＬは、バイポーラ相補型金属酸化膜半導体（Ｂｉ−ＣＭＯＳ）プロセスでモノリシックに製造され得るが、この回路は、別のプロセス又は材料（ＣＭＯＳ、ＳｉＧｅ、ＧａＡｓなど）を使って、モノリシック型、ハイブリッド型、又はディスクリート型として製造されてもよいことを当分野の技術者は理解するであろう。
【００１３】
[0010]図示のように、周波数源１００は、位相周波数検出器１２１、チャージポンプ回路１２２、ループフィルタ１２３、選択可能なＶＣＯバンクとして示される同調周波数源１２４、主Ｎ除算カウンタ１２５、及びプログラム可能なシグマデルタ型変調器１２６を含む。シグマデルタ型変調器１２６は、周波数設定制御信号ＣＮＴＬを受け取り、これに応答して、Ｎ除算カウンタ１２５に、所望の分周比で到達する逓倍率制御データ信号を提供する。また、シグマデルタ型変調器１２６は、クロック信号としてのＮ除算（ＦＤｉｖ）信号も受け取り、それによってその動作をＮ除算カウンタ１２５と同期させる。
【００１４】
[0011]同調可能な周波数源ＦＳ１１２０は、位相ロックループとして示されているが、代替として、可変発振器、デジタル制御発振器など、他の同調可能な周波数源が用いられてもよい。固定周波数源が、Ｌ−Ｃ、誘電体共振器、水晶発振器などとして実施されてもよい。上記の例は例示にすぎず、本発明の代替の実施形態では、同調可能であれ、固定であれ、他の周波数源も使用され得ることを、当分野の技術者は理解するであろう。
【００１５】
[0012]図２に、本発明による、予想信号及び／又は既存の信号を、位相プリングの影響を回避するのに十分な周波数分離を提供するように再配置する方法の例を示す。このプロセスは、まず２１２で、既存の信号の周波数に近接する周波数を有する予想信号が要求される。２１４で、予想信号の周波数が、既存の信号の周波数のプリング帯域幅内であるかどうか判定される。この動作の例示的実施形態では、出願人の同時係属出願「Ｍｕｌｔｉｐｌｅ  Ｆｒｅｑｕｅｎｃｙ  Ｓｏｕｒｃｅ  Ｓｙｓｔｅｍ  ａｎｄ  Ｍｅｔｈｏｄ  ｏｆ  Ｏｐｅｒａｔｉｏｎ」の図３Ｃに示すようなデータベース構造にアクセスして、最も近接する既存の信号の周波数位置を決定し、これに基づいて、予想信号の周波数が既存の信号の周波数のプリング帯域幅内になるかどうか判定することができる。
【００１６】
[0013]本明細書で使用する際、「プリング帯域幅」という用語は、その範囲内に第２の信号が存在すると、対象となる信号を、それが既定の位相雑音レベルを超えるように「引き寄せ」、又は変調する閾値帯域幅を指す。対象信号のプリング帯域幅は、所望の位相雑音レベルと、いくつかの要因とに左右される。例えば、比較的高い品質（Ｑ）係数を示す周波数源は、所与の位相雑音要件について比較的狭いプリング帯域幅を有する。同様に、近接する信号を生成する周波数源から高度に隔離されている周波数源も、同じ位相雑音要件について比較的狭いプリング帯域幅を有する。周波数源のＱは、その構成とアーキテクチャに左右される。例えば、固定周波数の水晶又は誘電体共振発振器は、同調可能な発振器より高いＱを示し得る。また、周波数源の（他の周波数源からの）隔離も、多重周波数源システムの構成とアーキテクチャに左右される。限度内では、無限大のＱ、すなわち、近接する信号を生成する周波数源からの無限大の隔離を示す周波数源は、０Ｈｚの位相プリング帯域幅を有するが、これらの条件は、特に、複数の同調可能な周波数源が、単一の集積回路上に実施される本発明の個別的実施形態では、獲得するのが不可能なはずである。したがって、既定のプリング帯域幅を定義するための特定の動作閾値が選択される。信号のプリング帯域幅の例示的実施形態には、５００ｋＨｚ未満、例えば、２５０ｋＨｚ、１００ｋＨｚ、５０ｋＨｚ、又はそれより低い帯域幅と、５００ｋＨｚ超、例えば、６００ｋＨｚ、７００ｋＨｚ、８００ｋＨｚ、９００ｋＨｚ、１ＭＨｚ、又はそれより高い帯域幅とが含まれる。
【００１７】
[0014]一例として、システムが、特定の周波数オフセットにおいて−４５ｄＢｃのＳＰＵＲレベルを許容し得ると判定される場合、続いて、システムによって指定されるオフセットにおける所望の限度（ＬＯ精度）を達成するために、各周波数源の隔離とＱが、（計算、実験、又は設計シミュレーションによって）選択される。例えば、ＬＯ精度は、±１ＭＨｚであると指定され、システムは、既存の信号の周波数から５００ｋＨｚのオフセットにおいて−４５ｄＢｃのＳＰＵＲをもたらすような大きさであり、よって、プリング帯域幅は±５００ｋＨｚであり、指定されるＬＯ精度は、ＳＰＵＲレベルの若干のマージンを得るために、ＬＯを、既存の周波数信号から５００ｋＨｚより遠くに配置することを許容する。
【００１８】
[0015]２１４で、予想信号の周波数が、既存の信号の周波数の既定のプリング帯域幅内であると判定された場合、２１６で、既存の信号を生成する周波数源が同調可能であるかどうか判定される。既存の信号の周波数源が（その周波数源が固定周波数源であり、又は、同調可能な周波数源であるが、すでにその同調可能範囲の最大又は最小点に同調されているために）同調させることができない場合、プロセスは２１８に進み、その時点で、予想信号の周波数が、識別されたプリング帯域幅外の新しい予想周波数点に同調される。このプロセスは、例えば、プリング帯域幅外の周波数点が識別され、そこに予想周波数が同調される単一動作を使って行われてもよい。新しい予想周波数点は、例えば、最初に要求される予想周波数点から除去される最小限の周波数点であり、プリング帯域幅外にある周波数点を表し得る。代替として、動作２１６は、周波数源が第１の周波数点に同調され、任意選択で、第１の周波数点が、既存の信号のプリング帯域幅外であるかどうか判定するようにチェックし、そうでない場合、第２の別の除去された周波数点を識別し、そこに周波数源を同調させるための、２つ以上の同調動作を伴ってもよい。このように、予想信号は、（システムによって指定されるＬＯ精度に従って）既存の信号からの必要な帯域幅分離が達成されるまで、既存の信号から徐々に離される。別の技法を使って予想信号がプリング帯域幅外に再配置されてもよいことを、当分野の技術者は理解するであろう。続いて２２２で、予想信号が、新しい予想周波数点で生成される。
【００１９】
[0016]２１６で、既存の信号がその現在の範囲内で同調可能であると判定された場合、プロセスは２２０に進み、そこで、予想信号の周波数点が、以下の３つの動作の１つによって、プリング帯域幅内から除去される。すなわち、（ｉ）予想信号の周波数が、既存の信号の周波数から離れた、プリング帯域幅外の新しい予想信号周波数点に同調される、（ｉｉ）既存の信号の周波数が、予想信号から離れたその現在の周波数点から、新しい既存の周波数点に同調される、又は（ｉｉｉ）（ｉ）と（ｉｉ）の組合せであり、予想信号の周波数も既存の信号の周波数も、反対方向に、それぞれの新しい周波数点に同調され、新しい予想周波数点が、新しい既存の周波数点のプリング帯域幅外に位置するように、各信号が新しい周波数点に移動される。２２０で選択される個々のプロセス（ｉ）〜（ｉｉｉ）は、周波数源の同調機能に応じて行われる。例えば、プロセス（ｉ）は、既存の信号の周波数源が、周波数限界に位置し、それ以上予想信号から遠くに同調することができないとき、或いは、既存の信号が使用されており、又は妨げることのできない動作を行っている場合に用いられ得る。プロセス（ｉｉ）は、計算により、予想信号が、それ以上既存の信号から遠くに同調することができないときに使用され得る。プロセス（ｉｉｉ）は、両方の周波数源が、十分な同調許容度を有するときに使用することができ、このプロセスを用いて、必要な周波数間隔を得るために、各信号の元の同調点から必要とされる周波数オフセットを最小限に抑えることができる。個別的実施形態では、予想信号及び／又は既存の信号が、以下の図３に例示するように、交差しないように、他方から離して同調される。
【００２０】
[0017]２１６の動作と同様に、２２２の動作は、単一動作としても、複数動作としても行われ得る。単一動作の例示的実施形態は、例えば、予想信号の周波数をプリング帯域幅外に配置するのに必要な帯域幅分離を提供する新しい周波数点を算出し、予想周波数と既存の周波数とを、それぞれの周波数点で生成することを含み得る。代替として、複数動作の手法では、一方又は両方の信号を相互から徐々に離し、任意選択で、結果として生じる帯域幅分離を、予想信号をプリング帯域幅外に配置するのに必要な帯域幅分離が獲得されているかどうか判定するようにチェックするための反復プロセスが実行されてもよい。既存の周波数信号が同調される実施形態では、既存の信号を生成し続けながら、その周波数源を、その元の周波数点から同調させても、既存の信号を非アクティブにし、その周波数源を、次の既存の周波数点に同調するように構成し、既存の信号を、その新しい周波数点で生成してもよい。継続して動作する既存の信号に徐々に同調する手法を用いれば、より大きい同調ステップを伴い得る大きい周波数オーバーシュートの影響の生成が回避されるという点で有利である。
【００２１】
[0018]図３に、本発明による、予想信号が、周波数プリングを回避するのに十分な既存の周波数信号からの帯域幅分離を提供するように再配置される本発明の例示的実施形態を示す。既存の信号３１２が周波数点ＦＥ１で動作し、既存の信号の周波数は、これと関連付けられた既定のプリング帯域幅３２０を有する。続いて、予想信号３２２を、既存の周波数のプリング帯域幅３２０内の第１の予想周波数点ＦＰ１に同調させるよう求める要求が受け取られる。前述のように、プリング帯域幅は、一般に、周波数源のＱ係数と、その周波数源と、近接する信号を生成する周波数源の間の隔離に左右される。一実施形態では、すべての周波数源が、実質的に同じＱ係数と隔離を示し、したがって、各周波数源は、実質的に同じプリング帯域幅を有する。本発明の別の実施形態では、Ｑ係数と隔離が、周波数源の１つ又は複数で異なり、したがって、プリング帯域幅は、同調する（第２の）周波数源が識別された後で決定される。
【００２２】
[0019]第１の予想周波数点ＦＰ１に同調するよう求める要求が、信号生成又はその信号への同調の前に受け取られると、ＦＰ１が、既存の信号３１２のプリング帯域幅３２０内にあるかどうか判定される（２１４）。図示の例では、ＦＰ１がプリング帯域幅３２０内にあり、前述のプロセスは２１６に進み、そこで、既存の信号３１２が同調可能な周波数源によって生成されるものかどうか判定される。例示のための本事例では、既存の信号３１２は、固定周波数源によって生成されるものと判定される。かかる場合、同調プロセスは２１８に進み、そこで、予想信号が、第１の周波数点ＦＰ１から離して、交差しないように第２の予想周波数点ＦＰ２に再配置される。２１８の同調動作は、さらに、ＦＰ２が、既存の信号３１２のプリング帯域幅３２０外にあると判定することを含む。プロセスは２２２に進み、そこで予想信号３２２が、第２の予想周波数点ＦＰ２で生成される。代替として、２１８のプロセスは、予想信号を、１つ又は複数のステップで既存の信号の周波数から徐々に離すように反復されてもよい。
【００２３】
[0020]既存の周波数源が同調可能な代替の実施形態では、各周波数の再配置距離が、より少なくなるはずである。というのは、既存の信号３１２を（プリング帯域幅３２０のやはりわずかに高い周波数への移動も伴って）ＦＥ１のやや上に再配置すると共に、予想信号３２２をＦＴ１のやや下に移動することにより、比較的小さい周波数シフトで必要な帯域幅分離が達成されることになるからである。かかるシステムの例示的実施形態では、シグマデルタ型位相ロックループなどの同調可能なシステムが、既存の信号と予想信号を生成する周波数源として使用され得る。別の例では、既存の周波数が、２つ以上のステップで反復して、予想信号から遠くに同調されて、信号の最終的な周波数への再配置を伴い得る周波数オーバーシュートの影響が低減される。
【００２４】
[0021]予想信号及び／又は既存の信号が再配置される本発明の実施形態では、周波数源は、信号の新しい周波数点への再配置の間、その信号を生成し続けてもよいことに留意すべきである。代替として、周波数源を非アクティブにし、新しい周波数（より高い周波数など）に同調するように構成し、新しい周波数点でその信号をアクティブ化することもできる。
【００２５】
[0022]当分野の技術者であれば容易に理解するように、前述の各プロセスは、ハードウェア、ソフトウェア、ファームウェアとして、又は適宜これらの実装の組合せとして実施され得る。加えて、前述のプロセスの一部又は全部が、コンピュータ可読媒体（取り外し可能ディスク、揮発性又は不揮発性メモリ、埋込み式プロセッサなど）上にあるコンピュータ可読命令コードとして実施されてもよく、この命令コードは、他のかかるプログラム可能な装置のコンピュータを、目的の機能を実行するためにプログラムするように動作する。
【００２６】
[0023]「ａ」又は「ａｎ」という語は、これによって記述される１つ、又は複数の特徴を指すのに使用されている。さらに、「ｃｏｕｐｌｅｄ（結合された）」又は「ｃｏｎｎｅｃｔｅｄ（接続された）」という語は、直接的に、又は１つ又は複数の介在する構造又は物質を介して、（場合に応じて、電気的、機械的、熱的に）相互に組み合わさった特徴を指す。方法流れ図で言及される操作及び動作の順序は例示であり、これらの操作及び動作は、異なる順序で実行されてもよく、これらの操作及び動作の２つ以上が同時に実行されてもよい。本明細書で参照されるすべての出版物、特許その他の文献は、参照によりその全文が組み込まれるものである。任意のかかる組込み文献と本明細書の間での整合性を欠く用法に関しては、本明細書での用法が規定するものとする。
【００２７】
[0024]以上の記述は、図示と説明のために提示したものである。網羅的であることも、本発明を開示通りの形に限定することも意図しておらず、明らかに、開示の教示を考慮に入れれば、多くの変更及び変形が可能である。開示の実施形態は、本発明の原理と、その実際の適用を最も適切に説明し、それによって、当分野の技術者が、本発明を、様々な実施形態において、企図される個々の用途に適する様々な変更と共に最も適切に利用することを可能にするために選択されたものである。本発明の適用範囲は、添付の特許請求の範囲によって定義されるものである。
【図面の簡単な説明】
【００２８】
【図１Ａ】本発明による、同時に動作する周波数源を用いる同調可能なシステムの例示的実施形態を示す図である。
【図１Ｂ】本発明による同調可能な周波数源の例を示す図である。
【図２】本発明による、予想信号及び／又は既存の信号を、位相プリングの影響を回避するのに十分な周波数分離を提供するように再配置する方法の例を示す図である。
【図３】本発明による、予想信号が、その検出ウィンドウ内で、周波数プリングを回避するのに十分な既存の周波数信号からの帯域幅分離を提供するように再配置される本発明の例示的実施形態を示す図である。
【図１Ａ】
2009508369.tif 000003
【図１Ｂ】
2009508369.tif 000004
【図２】
2009508369.tif 000005
【図３】
2009508369.tif 000006
【手続補正書】
【提出日】平成20年9月25日(2008.9.25)
【手続補正１】
【補正対象書類名】特許請求の範囲
【補正対象項目名】全文
【補正方法】変更
【補正の内容】
【特許請求の範囲】
【請求項１】
多重周波数源システムにおける位相プリングを緩和する方法であって、
既存の周波数点の既存の信号であり、前記既存の周波数点の前後の既定のプリング帯域幅を有する前記既存の信号を含む第１の信号を生成するステップと、
前記既存の信号の前記既定のプリング帯域幅内の予想周波数点で予想信号を生成するよう求める要求を受け取るステップと、
前記既定のプリング帯域幅内から前記予想周波数点を除去するステップと、
前記予想信号と前記既存の信号とを、それぞれに対応する周波数点で生成するステップと
を含み、
前記既存の信号が固定周波数源を使って生成され、前記既定のプリング帯域幅内から前記予想周波数点を除去する前記ステップが、前記予想信号の周波数源を、前記既存の信号から離れた、前記既存の信号の前記既定のプリング帯域幅外に位置する新しい予想周波数点に同調させるステップを含み、
前記予想信号と前記既存の信号とを生成する前記ステップが、前記予想信号を前記新しい予想周波数点で生成し、前記既存の信号を前記既存の周波数点で生成するステップを含む、
方法。
【請求項２】
多重周波数源システムにおける位相プリングを緩和する方法であって、
既存の周波数点の既存の信号であり、前記既存の周波数点の前後の既定のプリング帯域幅を有する前記既存の信号を含む第１の信号を生成するステップと、
前記既存の信号の前記既定のプリング帯域幅内の予想周波数点で予想信号を生成するよう求める要求を受け取るステップと、
前記既定のプリング帯域幅内から前記予想周波数点を除去するステップと、
前記予想信号と前記既存の信号とを、それぞれに対応する周波数点で生成するステップと
を含み、
前記既存の信号が同調可能な周波数源を使って生成され、前記既定のプリング帯域幅内から前記予想周波数点を除去する前記ステップが、前記既存の信号の周波数源を、前記予想周波数点から離れた新しい既存の周波数点に同調させて、前記既存の周波数点が前記新しい既存の周波数点に再配置された後で、前記予想周波数点が、前記既存の信号の前記既定のプリング帯域幅外に配置されるようにするステップを含み、
前記予想信号と前記既存の信号とを生成する前記ステップが、前記予想信号を前記予想周波数点で生成し、前記既存の信号を前記新しい既存の周波数点で生成するステップを含む、
方法。
【請求項３】
多重周波数源システムにおける位相プリングを緩和する方法であって、
既存の周波数点の既存の信号であり、前記既存の周波数点の前後の既定のプリング帯域幅を有する前記既存の信号を含む第１の信号を生成するステップと、
前記既存の信号の前記既定のプリング帯域幅内の予想周波数点で予想信号を生成するよう求める要求を受け取るステップと、
前記既定のプリング帯域幅内から前記予想周波数点を除去するステップと、
前記予想信号と前記既存の信号とを、それぞれに対応する周波数点で生成するステップと
を含み、
前記既存の信号が同調可能な周波数源を使って生成され、前記既定のプリング帯域幅内から前記予想周波数点を除去する前記ステップが、前記予想信号の周波数源を、前記既存の信号から離れた新しい予想周波数点に同調させるステップを含み、
前記予想信号と前記既存の信号とを生成する前記ステップが、前記予想信号を前記新しい予想周波数点で生成し、前記既存の信号を前記既存の周波数点で生成するステップを含む、
方法。
【請求項４】
多重周波数源システムにおける位相プリングを緩和する方法であって、
既存の周波数点の既存の信号であり、前記既存の周波数点の前後の既定のプリング帯域幅を有する前記既存の信号を含む第１の信号を生成するステップと、
前記既存の信号の前記既定のプリング帯域幅内の予想周波数点で予想信号を生成するよう求める要求を受け取るステップと、
前記既定のプリング帯域幅内から前記予想周波数点を除去するステップと、
前記予想信号と前記既存の信号とを、それぞれに対応する周波数点で生成するステップと
を含み、
前記既存の信号が同調可能な周波数源を使って生成され、前記既定のプリング帯域幅内から前記予想周波数点を除去する前記ステップが、
前記予想信号の前記周波数源を、前記既存の周波数点から離れた新しい予想周波数点に同調させるステップと、
前記既存の信号の前記周波数源を、前記予想周波数点から離れた新しい既存の周波数点に同調させるステップと
を含み、
前記予想信号と前記既存の信号とを生成する前記ステップが、前記予想信号を前記新しい予想周波数点で生成し、前記既存の信号を前記新しい既存の周波数点で生成するステップを含む、
方法。
【請求項５】
前記予想信号の前記周波数源を同調させる前記ステップが、第１の位相ロックループを、前記新しい予想周波数点で前記予想信号を生成するように制御するステップを含み、
前記既存の信号の前記周波数源を同調させる前記ステップが、第２の位相ロックループを、前記新しい既存の周波数点で前記既存の信号を生成するように制御するステップを含む、請求項４に記載の方法。
【請求項６】
多重周波数源システムにおける位相プリングを緩和する方法であって、
既存の周波数点の既存の信号であり、前記既存の周波数点の前後の既定のプリング帯域幅を有する前記既存の信号を含む第１の信号を生成するステップと、
前記既存の信号の前記既定のプリング帯域幅内の予想周波数点で予想信号を生成するよう求める要求を受け取るステップと、
前記既定のプリング帯域幅内から前記予想周波数点を除去するステップと
を含み、
前記既定のプリング帯域幅内から前記予想周波数点を除去する前記ステップが、
前記予想信号を、前記既存の信号から離れる方向にある新しい予想周波数点に同調させるステップと、
前記既存の信号を、前記予想信号から離れる方向にある新しい既存の信号の周波数点に同調させるステップと、
前記予想信号と前記既存の信号とを、それぞれに対応する新しい周波数点で生成するステップと
を含む、方法。
【請求項７】
前記予想信号を新しい予想周波数点に同調させる前記ステップが、第１の位相ロックループを、前記新しい予想周波数点で前記予想信号を生成するように制御するステップを含み、
前記既存の信号を新しい既存の周波数点に同調させる前記ステップが、第２の位相ロックループを、前記新しい既存の周波数点で前記既存の信号を生成するように制御するステップを含む、請求項６に記載の方法。
【請求項８】
多重周波数源システムにおける位相プリングを緩和するシステムであって、
既存の周波数点の既存の信号であり、前記既存の周波数点の前後の既定のプリング帯域幅を有する前記既存の信号を含む第１の信号を生成する固定周波数源と、
前記既存の信号の前記既定のプリング帯域幅内の予想周波数点で予想信号を生成するよう求める要求を受け取る手段と、
前記既定のプリング帯域幅内から前記予想周波数点を除去する手段と、
前記予想信号と前記既存の信号とを、それぞれに対応する周波数点で生成する手段と
を備え、
前記既定のプリング帯域幅内から前記予想周波数点を除去する前記手段が、前記予想信号の周波数源を、前記既存の信号から離れた、前記既存の信号の前記既定のプリング帯域幅外に位置する新しい予想周波数点に同調させる手段を備え、
前記予想信号と前記既存の信号とを生成する前記手段が、前記予想信号を前記新しい予想周波数点で生成し、前記既存の信号を前記既存の周波数点で生成する手段を備える、
システム。
【請求項９】
多重周波数源システムにおける位相プリングを緩和するシステムであって、
既存の周波数点の既存の信号であり、前記既存の周波数点の前後の既定のプリング帯域幅を有する前記既存の信号を含む第１の信号を生成する同調可能な周波数源と、
前記既存の信号の前記既定のプリング帯域幅内の予想周波数点で予想信号を生成するよう求める要求を受け取る手段と、
前記既定のプリング帯域幅内から前記予想周波数点を除去する手段と、
前記予想信号と前記既存の信号とを、それぞれに対応する周波数点で生成する手段と
を備え、
前記既定のプリング帯域幅内から前記予想周波数点を除去する前記手段が、前記既存の信号の前記同調可能な周波数源を、予想周波数点から離れた新しい既存の周波数点に同調させて、前記既存の周波数点が前記新しい既存の周波数点に再配置された後で、前記予想周波数点が、前記既存の信号の前記既定のプリング帯域幅外に配置されるようにする手段を備え、
前記予想信号と前記既存の信号とを生成する前記手段が、前記予想信号を前記予想周波数点で生成し、前記既存の信号を前記新しい既存の周波数点で生成する手段を備える、
システム。
【請求項１０】
多重周波数源システムにおける位相プリングを緩和するシステムであって、
既存の周波数点の既存の信号であり、前記既存の周波数点の前後の既定のプリング帯域幅を有する前記既存の信号を含む第１の信号を生成する同調可能な周波数源と、
前記既存の信号の前記既定のプリング帯域幅内の予想周波数点で予想信号を生成するよう求める要求を受け取る手段と、
前記既定のプリング帯域幅内から前記予想周波数点を除去する手段と、
前記予想信号と前記既存の信号とを、それぞれに対応する周波数点で生成する手段と
を備え、
前記既定のプリング帯域幅内から前記予想周波数点を除去する前記手段が、前記予想信号の周波数源を、前記既存の信号から離れた新しい予想周波数点に同調させる手段を
備え、
前記予想信号と前記既存の信号とを生成する前記手段が、前記予想信号を前記新しい予想周波数点で生成し、前記既存の信号を前記既存の周波数点で生成する手段を備える、
システム。
【請求項１１】
多重周波数源システムにおける位相プリングを緩和するシステムであって、
既存の周波数点の既存の信号であり、前記既存の周波数点の前後の既定のプリング帯域幅を有する前記既存の信号を含む第１の信号を生成する同調可能な周波数源と、
前記既存の信号の前記既定のプリング帯域幅内の予想周波数点で予想信号を生成するよう求める要求を受け取る手段と、
前記既定のプリング帯域幅内から前記予想周波数点を除去する手段と、
前記予想信号と前記既存の信号とを、それぞれに対応する周波数点で生成する手段と
を備え、
前記既定のプリング帯域幅内から前記予想周波数点を除去する前記手段が、
前記予想信号の周波数源を、前記既存の周波数点から離れた新しい予想周波数点に同調させる手段と、
前記既存の信号の前記同調可能な周波数源を、前記予想周波数点から離れた新しい既存の周波数点に同調させる手段と
を備え、
前記予想信号と前記既存の信号とを生成する前記手段が、前記予想信号を前記新しい予想周波数点で生成し、前記既存の信号を前記新しい既存の周波数点で生成する手段を備える、
システム。
【請求項１２】
前記予想信号の前記周波数源を同調させる前記手段が、前記新しい予想周波数点で前記予想信号を生成するように動作する第１の位相ロックループを備え、
前記既存の信号の前記周波数源を同調させる前記手段が、前記新しい既存の周波数点で前記既存の信号を生成するように動作する第２の位相ロックループを備える、請求項１１に記載のシステム。
【請求項１３】
コンピュータ可読媒体上にあり、プログラム可能なシステムを、多重周波数源システムにおける位相プリングを緩和するよう制御するように動作するコンピュータプログラム製品であって、
既存の周波数点の既存の信号であり、前記既存の周波数点の前後の既定のプリング帯域幅を有する前記既存の信号を含む第１の信号を、固定周波数源を使って生成する命令コードと、
前記既存の信号の前記既定のプリング帯域幅内の予想周波数点で予想信号を生成するよう求める要求を受け取る命令コードと、
前記既定のプリング帯域幅内から前記予想周波数点を除去する命令コードと、
前記予想信号と前記既存の信号とを、それぞれに対応する周波数点で生成する命令コードと
を備え、
前記既定のプリング帯域幅内から前記予想周波数点を除去する前記命令コードが、前記予想信号の周波数源を、前記既存の信号から離れた、前記既存の信号の前記既定のプリング帯域幅外に位置する新しい予想周波数点に同調させる命令コードを備え、
前記予想信号と前記既存の信号とを生成する前記命令コードが、前記予想信号を前記新しい予想周波数点で生成し、前記既存の信号を前記既存の周波数点で生成する命令コードを備える、
コンピュータプログラム製品。
【請求項１４】
コンピュータ可読媒体上にあり、プログラム可能なシステムを、多重周波数源システムにおける位相プリングを緩和するよう制御するように動作するコンピュータプログラム製品であって、
既存の周波数点の既存の信号であり、前記既存の周波数点の前後の既定のプリング帯域幅を有する前記既存の信号を含む第１の信号を、同調可能な周波数源を使って生成する命令コードと、
前記既存の信号の前記既定のプリング帯域幅内の予想周波数点で予想信号を生成するよう求める要求を受け取る命令コードと、
前記既定のプリング帯域幅内から前記予想周波数点を除去する命令コードと、
前記予想信号と前記既存の信号とを、それぞれに対応する周波数点で生成する命令コードと
を備え、
前記既定のプリング帯域幅内から前記予想周波数点を除去する前記命令コードが、前記既存の信号の前記周波数源を、前記予想周波数点から離れた新しい既存の周波数点に同調させて、前記既存の周波数点が前記新しい既存の周波数点に再配置された後で、前記予想周波数点が、前記既存の信号の前記既定のプリング帯域幅外に配置されるようにする命令コードを備え、
前記予想信号と前記既存の信号とを生成する前記命令コードが、前記予想信号を前記予想周波数点で生成し、前記既存の信号を前記新しい既存の周波数点で生成する命令コードを備える、
コンピュータプログラム製品。
【請求項１５】
コンピュータ可読媒体上にあり、プログラム可能なシステムを、多重周波数源システムにおける位相プリングを緩和するよう制御するように動作するコンピュータプログラム製品であって、
既存の周波数点の既存の信号であり、前記既存の周波数点の前後の既定のプリング帯域幅を有する前記既存の信号を含む第１の信号を、同調可能な周波数源を使って生成する命令コードと、
前記既存の信号の前記既定のプリング帯域幅内の予想周波数点で予想信号を生成するよう求める要求を受け取る命令コードと、
前記既定のプリング帯域幅内から前記予想周波数点を除去する命令コードと、
前記予想信号と前記既存の信号とを、それぞれに対応する周波数点で生成する命令コードと
を備え、
前記既定のプリング帯域幅内から前記予想周波数点を除去する前記命令コードが、前記予想信号の周波数源を、前記既存の信号から離れた新しい予想周波数点に同調させる命令コードを備え、
前記予想信号と前記既存の信号とを生成する前記命令コードが、前記予想信号を前記新しい予想周波数点で生成し、前記既存の信号を前記既存の周波数点で生成する命令コードを備える、
コンピュータプログラム製品。
【請求項１６】
コンピュータ可読媒体上にあり、プログラム可能なシステムを、多重周波数源システムにおける位相プリングを緩和するよう制御するように動作するコンピュータプログラム製品であって、
既存の周波数点の既存の信号であり、前記既存の周波数点の前後の既定のプリング帯域幅を有する前記既存の信号を含む第１の信号を、同調可能な周波数源を使って生成する命令コードと、
前記既存の信号の前記既定のプリング帯域幅内の予想周波数点で予想信号を生成するよう求める要求を受け取る命令コードと、
前記既定のプリング帯域幅内から前記予想周波数点を除去する命令コードと、
前記予想信号と前記既存の信号とを、それぞれに対応する周波数点で生成する命令コードと
を備え、
前記既定のプリング帯域幅内から前記予想周波数点を除去する前記命令コードが、
前記予想信号の周波数源を、前記既存の周波数点から離れた新しい予想周波数点に同調させる命令コードと、
前記既存の信号の前記周波数源を、前記予想周波数点から離れた新しい既存の周波数点に同調させる命令コードと
を備え、
前記予想信号と前記既存の信号とを生成する前記命令コードが、前記予想信号を前記新しい予想周波数点で生成し、前記既存の信号を前記新しい既存の周波数点で生成する命令コードを備える、
コンピュータプログラム製品。
【請求項１７】
前記予想信号の前記周波数源を同調させる前記命令コードが、第１の位相ロックループを、前記新しい予想周波数点で前記予想信号を生成するように制御する命令コードを備え、
前記既存の信号の前記周波数源を同調させる前記命令コードが、第２の位相ロックループを、前記新しい既存の周波数点で前記既存の信号を生成するように制御する命令コードを備える、請求項１６に記載のコンピュータプログラム製品。
【国際調査報告】
2009508369.tif 000007
2009508369.tif 000008
2009508369.tif 000009